(57)【要約】【課題】風呂本体の内部に蒸気発生手段を収納することにより小型化を容易にし、しかも、簡単な構成で効率よく蒸気を発生させるようにした実用性の高い蒸し風呂装置を提供する。【解決手段】蒸し風呂装置は、風呂本体の内部に浴室（Ｓ）を有する。浴室（Ｓ）の座座席（１７）の下方には、浴室（Ｓ）内に蒸気を発生させる蒸気発生器（３０）が設けられる。蒸気発生器（３０）は、蒸気発生用の水を蓄える加熱タンク（３１）と、加熱タンク（３１）内の水を蒸発させる発熱ヒータ（３６）と、加熱タンク（３１）に補給するための水を蓄える補給タンク（３２）とを備える。補給タンク（３２）は、加熱タンク（３１）の近傍に配置され、加熱タンク（３１）の所定位置には補給タンク（３２）の外壁面に向けて蒸気を放出する放出口（Ｗ）が設けられる。【選択図】図４
2005073871.tif 000002
【特許請求の範囲】
【請求項１】
浴室を形成する風呂本体と、
この風呂本体の内部に設けられ、前記浴室内に蒸気を発生させる蒸気発生器とを備えた蒸し風呂装置において、
前記蒸気発生器は、
蒸気発生用の水を蓄える加熱タンクと、
前記加熱タンク内の水を蒸発させる発熱ヒータと、
前記加熱タンクに補給するための水を蓄える補給タンクとを備え、
前記加熱タンクの近傍に前記補給タンクを配置するとともに、前記加熱タンクの所定位置には前記補給タンクの外壁面に向けて蒸気を放出する前記放出口を設けたことを特徴とする蒸し風呂装置。
【請求項２】
浴室を形成する風呂本体と、
この風呂本体の内部に設けられ、前記浴室内に蒸気を発生させる蒸気発生器とを備えた蒸し風呂装置において、
前記蒸気発生器は、
蒸気発生用の水を蓄える加熱タンクと、
前記加熱タンク内の水を蒸発させる発熱ヒータと、
前記加熱タンクに補給するための水を蓄える補給タンクとを備え、
前記加熱タンクの上方に前記補給タンクを配置するとともに、前記加熱タンクの上部には前記補給タンクの下壁面に向けて蒸気を放出する前記放出口を設けたことを特徴とする蒸し風呂装置。
【請求項３】
前記発熱ヒータが、前記加熱タンク内に設けられる発熱体と、この発熱体から加熱タンクの内壁面に向かう放射熱を遮断するセラミック板とを有する、請求項１または２記載の蒸し風呂装置。
【請求項４】
前記補給タンクの水位が一定以下になると前記補給タンク内に前記風呂本体の外部から水を導入する第１給水弁と、
前記加熱タンクの水位が一定以下になると前記補給タンクの水を前記加熱タンクに供給する第２給水弁とを設ける、請求項１または２記載の蒸し風呂装置。
【発明の詳細な説明】
【技術分野】
【０００１】
本発明は、蒸し風呂装置に関するもので、例えば、箱形の浴室に蒸気を充満させるいわゆる“箱蒸し風呂”に適用されるものである。
【背景技術】
【０００２】
近年、健康促進や療養のために箱蒸し風呂を利用する人が増えている。この種の蒸し風呂は、箱形の風呂本体の内部に浴室が設けられており、この浴室内に入浴者が身体を入れて座席等に腰掛ける。風呂本体の上方外側には入浴者の頭部を出すようになっている。浴室に蒸気を充満させると、入浴者の身体に蒸気が触れて発汗を促し、血行を促進させる等の効能をもたらす。
【０００３】
従来、このような箱形の蒸し風呂装置は、入浴時間や温度等を個別に設定するために一人用の浴室が並設されることが多い。入浴用の蒸気は、風呂本体の外側に設けられた専用の蒸気発生手段（ボイラ等）から配管を通じて各浴室に送られる。
なお、関連する先行技術としては、風呂本体の外側に蒸気発生用の加熱ユニットを設ける例が開示されている（特許文献１）。
【０００４】
【特許文献１】特開平６−１０５８８５号公報
【特許文献２】特公昭４３−１５９号公報
【特許文献３】特開昭５８−２２１９４６号公報
【発明の開示】
【発明が解決しようとする課題】
【０００５】
しかしながら、このような従来の蒸し風呂装置によれば、風呂本体の外側にボイラ等の蒸気発生手段が設けられるため、装置構成が大型化しやすく、蒸し風呂装置を設置する場合のコスト面の負担が大きくなる。また、ボイラ等から浴室へ蒸気を送る配管途中で熱損失が大きく、エネルギー効率も悪くなりやすい。
【０００６】
これに対し、浴室の座席下などの空間に蒸気発生手段を設置して小型化を容易にした蒸し風呂装置も提案されているが、快適な入浴のために十分な蒸気を効率よく発生させる実用性に優れたものは少ない。
例えば、特許文献２のように、水槽にフロート式の発熱体を設けて水面付近の水を蒸発させるタイプのものは、発熱体と水との接触面積が小さくなりやすく、蒸気の発生量が不十分になりやすい。また、フロートの耐熱対策も必要になる。
また、特許文献３のように、蒸気発生用容器をガスコンロで加熱させるタイプのものは、熱効率が悪く、また、ガスコンロに水が接触してガスの炎が消えるおそれもある。
【０００７】
本発明は、このような現状に鑑みなされたもので、風呂本体の内部に蒸気発生手段を収納することにより小型化を容易にし、しかも、簡単な構成で効率よく蒸気を発生させるようにした実用性の高い蒸し風呂装置を提供することを目的としている。
【課題を解決するための手段】
【０００８】
前記課題を解決するための本発明（第１発明）による蒸し風呂装置は、以下の構成を備えることを特徴としている。すなわち、
浴室を形成する風呂本体と、
この風呂本体の内部に設けられ、前記浴室内に蒸気を発生させる蒸気発生器とを備えた蒸し風呂装置において、
前記蒸気発生器は、
蒸気発生用の水を蓄える加熱タンクと、
前記加熱タンク内の水を蒸発させる発熱ヒータと、
前記加熱タンクに補給するための水を蓄える補給タンクとを備え、
前記加熱タンクの近傍に前記補給タンクを配置するとともに、前記加熱タンクの所定位置には前記補給タンクの外壁面に向けて蒸気を放出する前記放出口を設けたことを特徴としている。
【０００９】
本発明（第１発明）の蒸し風呂装置によると、風呂本体の内部に蒸気発生器を設ける構成としたため、装置の小型化が簡単に実現される。
また、加熱タンクには、蒸気の発生に必要な分だけの水を蓄えておくことができるため、発熱ヒータの熱が効率よく水に伝達され、しかも、短時間で水蒸気を発生させることができる。
さらに、補給タンクから加熱タンクに水を補給する構造としたため、加熱タンクの容量が小さくても、蒸気発生量を十分に確保することができる。
さらに、本発明（第１発明）では、加熱タンクから発生する蒸気がその放出口付近で補給タンクの外壁面に接触することから、この蒸気熱により補給タンク内の水が予備加熱される。この結果、加熱タンクで水を蒸発させるための熱量が少なくて済み、発熱ヒータの消費エネルギーを大幅に節約することができる。
【００１０】
本発明（第２発明）による蒸し風呂装置は、
浴室を形成する風呂本体と、
この風呂本体の内部に設けられ、前記浴室内に蒸気を発生させる蒸気発生器とを備えた蒸し風呂装置において、
前記蒸気発生器は、
蒸気発生用の水を蓄える加熱タンクと、
前記加熱タンク内の水を蒸発させる発熱ヒータと、
前記加熱タンクに補給するための水を蓄える補給タンクとを備え、
前記加熱タンクの上方に前記補給タンクを配置するとともに、前記加熱タンクの上部には前記補給タンクの下壁面に向けて蒸気を放出する前記放出口を設けたことを特徴としている。
【００１１】
本発明（第２発明）による蒸し風呂装置によると、前記第１発明の効果に加え、補給タンクが加熱タンクの上方位置に設けられるため、補給タンクから加熱タンクへ位置エネルギーによって水が流れやすくなる。
また、補給タンクの下壁面に加熱タンクからの蒸気が接触するため、補給タンク内の水がその底面部から温められて対流しやすく、水温が均一に上昇しやすくなる。このため、加熱タンクに送る水温の変動が少なくなり、発熱ヒータが安定的に蒸気を発生させやすくなる。
【００１２】
前記第１発明および第２発明において、風呂本体に蒸気発生器を設ける場所としては、例えば、浴室の座席下の空間を利用するとよい。特に、座席の高さに合わせて加熱タンクと補給タンクを上下２段に設置すると、空間の有効利用が図られる。
また、浴室の床下の空間に蒸気発生器を設けてもよい。例えば、寝台タイプの蒸し風呂装置等においては、寝床の下方に蒸気発生器を設置して浴室に向けて蒸気を発生させると、入浴者が快適に蒸気を浴びることが可能になる。
【００１３】
本発明（第３発明）による蒸し風呂装置は、前記発熱ヒータが、前記加熱タンク内に設けられる発熱体と、この発熱体から加熱タンクの内壁面に向かう放射熱を遮断するセラミック板とを有することを特徴としている。
【００１４】
本発明（第３発明）によれば、発熱ヒータの発熱体と、加熱タンクの内壁面との間にセラミック板が取り付けられるため、発熱ヒータからの放射熱が加熱タンクの内壁面に直接当たらない。これにより、万一、加熱タンクが空だき状態になっても、タンク壁面の温度が過剰に上昇することがなく、加熱タンクの劣化が抑えられる。
また、セラミック材料から発生する遠赤外線によって加熱タンク内の水を改質することができるため、身体に優しい良質な蒸気を浴室に供給することができる。
【００１５】
本発明（第４発明）による蒸し風呂装置は、
前記補給タンクの水位が一定以下になると前記補給タンク内に前記風呂本体の外部から水を導入する第１給水弁と、
前記加熱タンクの水位が一定以下になると前記補給タンクの水を前記加熱タンクに供給する第２給水弁とを設けたことを特徴としている。
【００１６】
本発明（第４発明）によれば、加熱タンクおよび補給タンクに常に一定の水位以上の水を確保することができため、水不足によって浴室に送る蒸気が途絶えることがない。また、加熱タンクおよび補給タンクに自動的に水が供給されるため、水補給の手間がかからず、蒸し風呂管理者の負担が軽減される。
【００１７】
本発明（第１〜４発明）の蒸し風呂装置は、箱蒸し風呂やスチームバスとして大衆浴場やエステサロン等に設置するとよい。また、家庭用の蒸し風呂装置として利用することもできる。さらに、医療用設備として用いることも可能である。
本発明（第１〜４発明）は、必要に応じて単独で適用してもよいし、各発明を組み合わせて適用してもよい。また、本明細書に記載される他の発明を組み合わせてもよい。
【発明を実施するための最良の形態】
【００１８】
以下、本発明の実施の形態を図面に基づいて説明する。
図１は蒸し風呂装置１０の外観を示す斜視図、図２は蒸し風呂装置１０の浴室Ｓの開放状態を正面やや上方から見た斜視図である。
図１および図２に示すように、第１実施形態による蒸し風呂装置１０は、箱形の風呂本体１２内に浴室Ｓを有している。風呂本体１２の正面に入口扉１３が設けられる。入口扉１３を開放して浴室Ｓ内に入るようになっている。風呂本体１２の上部には、天井扉１４および１５が設けられる。天井扉１４および１５の中央部には円形の首出し穴Ｈが形成されており、入浴者はこの首出し穴Ｈから頭部を風呂本体１２の上方に出せるようになっている。
【００１９】
浴室Ｓ内には座席１７が設けられる。入浴者は座席１７に腰をかけ、首出し穴Ｈから頭部を出した状態で入口扉１３を閉める。そして、後述する蒸気発生器３０（図３参照）から浴室Ｓに蒸気が送られると、この蒸気が入浴者の身体に接触することになる。
【００２０】
入口扉１３の扉ヒンジ部、すなわち図１で風呂本体１２の正面右端部付近には、戸当て１８ａが設けられる。また、天井扉１４および１５のそれぞれの扉ヒンジ部、すなわち図１で風呂本体１２の頂面左右端部付近には、戸当て１８ｂおよび１８ｃが設けられる。各扉の開放時には、これらの戸当て１８ａ〜１８ｃに扉外側面が当たり、その開閉角度が制限される。これにより入口扉１３、天井扉１４および１５を繰り返し開閉しても、ヒンジ部が壊れにくく、風呂本体１２の耐久性が高く保たれる。
【００２１】
風呂本体１２の頂面奥には枕板１８ｄが設けられる。枕板１８ｄは、戸当て１８ｂおよび１８ｃとほぼ同一形状の板であり、入浴者の後頭部を保護する等の役割を果たす。
風呂本体１２の頂面左脇の位置には温度表示器１９が設けられる。温度表示器１９には、浴室Ｓ内の所定位置に設置された温度センサの検知温度が表示されるようになっている。
【００２２】
図３に蒸し風呂装置１０の縦断面を示した。
風呂本体１２は、箱形に組んだアルミ枠（図示省略）に耐熱性および耐水性をもつ樹脂製のボード２１が固定されてなる。これらのボード２１の正面および左右の側面、並びに頂面には檜等の木製の化粧板２２が列をなして固定される（図１および図２参照）。
【００２３】
浴室Ｓ内には、床板２４が敷かれ、この床板２４の奥に座席１７を構成する脚板２５、座板２６および背板２７が設けられる。これらの床板２４、脚板２５、座板２６および背板２７は、すのこ状の板材からなっており、これらの各板材の間に所定幅の隙間をもつ。
【００２４】
浴室Ｓの座席１７の下方には、蒸気発生器３０が設けられる。すなわち、脚板２５と座板２６で覆われる空間に蒸気発生器３０が収納されている。蒸気発生器３０から放出される蒸気は、床板２４、脚板２５、座板２６および背板２７のすのこ状の隙間から浴室Ｓに送られる。
【００２５】
図４に蒸気発生器３０の拡大図を示した。
蒸気発生器３０は、加熱タンク３１と補給タンク３２とを備えている。補給タンク３２には風呂本体１２の外部（水道の蛇口等）から配管３４を介して水が導入される。加熱タンク３１には補給タンク３２に蓄えられた水が配管３５を介して導入されるようになっている。
【００２６】
加熱タンク３１には発熱ヒータ３６が取り付けられる。加熱タンク３１内の水が発熱ヒータ３６により加熱され、蒸気化する。加熱タンク３１の上方には、蒸気を放出するための放出口Ｗが開口している。加熱タンク３１内で発生した蒸気は、放出口Ｗから座席１７の下部空間に放出される。
【００２７】
補給タンク３２の上方にはメンテナンス等のための開口部が設けられており、この開口部には蓋３７が被せられる。蓋３７は補給タンク３２の水が外側にあふれるのを防ぐとともに、浴室Ｓからの入浴者の汗やゴミ等が補給タンク３２に入るのを防止する。これにより、常に、衛生的で清潔な水を加熱タンク３１に送ることができる。
【００２８】
補給タンク３２内の配管３４の給水部には、フロート式の給水弁３８が設けられる。給水弁３８には、フロート３９が取り付けられており、このフロート３９が補給タンク３２の水面に浮かぶ。補給タンク３２の水面が所定の水位以下に下がると、フロート３９に連動してレバー３９ａが下がり、給水弁３８が開いて配管３４から補給タンク３２に水が導入される。一方、水面が所定の水位以上になると、レバー３９ａが上がって給水弁３８が閉じ、配管３４からの水の導入が停止される。
【００２９】
一方、加熱タンク３１へ水を送る配管３５には電磁弁４１が設けられており、加熱タンク３１の内部にはタンク内の水位を検知するための水位センサ４２が取り付けられている。加熱タンク３１内の水位が所定の水位に達していない場合には、水位センサ４２がこれを検知し、電磁弁４１を開弁させる。そして、加熱タンク３１内に補給タンク３２内の水を取り込む。一方、加熱タンク３１内の水位が十分な水位に達しているときは、水位センサ４２がこれを検知して電磁弁４１を閉じ、補給タンク３２から加熱タンク３１への水の供給を遮断する。
このように給水弁３８および電磁弁４１の作用により、補給タンク３２と加熱タンク３１とが常に所定の水位に保たれるようになっている。
【００３０】
加熱タンク３１に水を供給する配管３５には、配管４６が分岐している。配管４６には、手動で開閉可能な給水弁４７が設けられる。給水弁４７を開くことにより、補給タンク３２および加熱タンク３１の水をタンク外部へ放出することが可能である。例えば、長期間蒸気発生器３０を使用しない場合などには、加熱タンク３１と補給タンク３２の水を抜いておくことができる。これにより、蒸気発生器３０を衛生的に保つことが可能になる。
【００３１】
加熱タンク３１の側方には、送風ファン４８が設けられる。送風ファン４８からの送風は、加熱タンク３１に向けられる。加熱タンク３１から発生する蒸気は、送風ファン４８によって浴室Ｓ側に効率よく流れるようになっている。
【００３２】
図３に示すように、蒸し風呂装置１０の外部には制御盤４５が設けられる。制御盤４５は、加熱タンク３１の水位センサ４２（図４参照）、浴室Ｓ内の温度センサ等の検出信号を処理して、所定のタイミングで発熱ヒータ３６、電磁弁４１、送風ファン４８等を作動させる。制御盤４５を操作することにより、浴室Ｓの温度や蒸気量を入浴者の希望等に応じて適宜変更することができる。
【００３３】
ここで、蒸気発生器３０において、加熱タンク３１と補給タンク３２との位置関係は、加熱タンク３１の上方に隙間を保って補給タンク３２が配置される関係にある。すなわち、座席１７下のスペースに加熱タンク３１と補給タンク３２とが上下２段に配置され、加熱タンク３１の放出口Ｗが補給タンク３２の下壁面に向けられる。これにより、放出口Ｗから放出される加熱タンク３１の蒸気が補給タンク３２の下壁面に接触し、補給タンク３２内の水と熱交換することになる。
【００３４】
加熱タンク３１は、台板５１の上に脚材５２によって支持される。加熱タンク３１の高さは、脚材５２を伸縮させることで調整可能になっている。
一方、補給タンク３２は、ステンレス等のフレーム台５４によって支持される。フレーム台５４は、矩形に配置された４本の縦フレーム５４ａに横フレーム５４ｂが水平に架け渡される。そして、縦フレーム５４ａの先端に補給タンク３２のフランジ部が載置される。なお、縦フレーム５４ａおよび横フレーム５４ｂの各フレーム間には、蒸気の流れを妨げないように、十分な距離が保たれている。
【００３５】
図５および図６に発熱ヒータ３６の構成を示した。図５は、発熱ヒータ３６を上方から見た図、図６は発熱ヒータ３６を側方から見た図である。
発熱ヒータ３６は、電極６１，６１と発熱体６２とを備えている。加熱タンク３１の側壁に電極６１，６１が貫通しており、これらの電極６１，６１に発熱体６２が接続されている。発熱体６２は、複数の電熱線を平面状に束ねてなるもので、電極６１，６１の間に蛇行状に延びる（図５参照）。電極６１，６１に通電すると、発熱体６２が発熱し、タンク内の水を加熱して蒸気を発生させる。発熱ヒータ３６の電源には、例えば、一般家庭用電源が用いられる。
【００３６】
発熱体６２を接続する電極６１，６１の固定部６１ａは、セラミック板６３と６４により上下に挟まれている（図６参照）。固定部６１ａとセラミック板６３、６４とに貫通する連結孔にボルト６７が挿入され、このボルト６７の他端にナット６８が嵌まる。ボルト６７およびナット６８は、熱膨張によってセラミック板６３、６４が割れない程度に十分な遊びをもって取り付けられる。
セラミック板６３の中央部には、押さえバネ６５が取り付けられている。押さえバネ６５は、セラミック板６３を電極６１，６１側に押さえ付けて、これらの固定部のガタ付きを抑える。
【００３７】
このように電極６１，６１と発熱体６２との固定部分をセラミック板６３、６４で挟んで保護することで、発熱ヒータ３６の耐久性を向上させることができる。また、発熱体６２からセラミック板６３および６４に熱伝導して遠赤外線を発生させるため、この遠赤外線効果によって浴室Ｓに良質の蒸気を送ることが可能になる。
【００３８】
発熱体６２の上面は、加熱タンク３２の放出口Ｗに向けられており、放出口Ｗから加熱タンク３２内の蒸気が放出されやすくなっている。
一方、発熱体６２の下面は、セラミック板６４に向けられる。すなわち、発熱体６２の下面に沿ってセラミック板６４が延びている。発熱体６２の長さ方向には耐熱材料からなる止め具６９が設けられ、これらの止め具６９により発熱体６２がセラミック板６３に取り付けられている。
このように発熱体３６の下面に沿ってセラミック板６４を設けることで、発熱体６２からの熱が直接加熱タンク３２の底面に向けて放射されない。すなわち、加熱タンク３２が空だきになっても、タンク壁面が過剰に加熱されることが無くなり、タンクの劣化が防止される。
【００３９】
次に、蒸し風呂装置１０の作用について説明する。
加熱タンク３１と補給タンク３２に水を満たした状態で、発熱ヒータ３６に通電すると、加熱タンク３１内の水温が上昇し、その水面から蒸気が発生する。この蒸気は、図４破線矢印に示すように、放出口Ｗから出た直後に補給タンク３２の下壁面に接触し、送風ファン４８の送風によって前方（図４左方向）または上方に向けて流れる。そして、脚板２５、座板２６のすのこ状の隙間を通って浴室Ｓに充満することになる。
補給タンク３２内の水は、放出口Ｗから放出される蒸気によってタンク底部から加熱される（予備加熱）。そして、補給タンク３２内で対流しながらその水温を上昇させる。
【００４０】
加熱タンク３１の水位が低くなると、電磁弁４１が開き、補給タンク３２の水が配管３５を通って加熱タンク３１に送られる。このとき、補給タンク３２の水は、放出口Ｗから放出される蒸気によって温められているため（予備加熱）、加熱タンク３１内には比較的高い温度の水が供給され、加熱タンク３１内の水温低下が抑えられる。この結果、発熱ヒータ３６が少ない発熱量で迅速に加熱タンク３１の水を蒸発させることができる。
また、補給タンク３２の水位が一定以下に下がると、外部から補給タンク３２に水が導入されるため、加熱タンク３２に補給する水が不足することはない。
【００４１】
このように蒸し風呂装置１０によれば、浴室Ｓの座席下の空間に蒸気発生器３０を収納することで、ボイラ等の外部設備が不要になり、装置構成を小型・コンパクト化することができる。また、加熱タンク３１から直接蒸気を発生させるため、配管の途中における蒸気温度の低下等の不具合も生じない。
また、加熱タンク３１と補給タンク３２との熱交換によって少ない発熱量で効率よく蒸気を発生させることができるから、エネルギー節約の面でも極めて有利になる。例えば、家庭用電源１００Ｖを電源電圧１２Ｖ程度に変換して発熱ヒータ３６を発熱させても、入浴に必要な蒸気量を十分に確保することができる。また、発熱ヒータ３６に低圧電源（例えば電源電圧１２Ｖ）を用いることで、装置の安全性もより向上する。
さらに、給水弁３８と電磁弁４１との協働によって自動的に各タンクへ水を補給することができるため、給水の手間もかからない。
【００４２】
次に、本発明の第２実施形態を図７および図８に基づいて説明する。
本発明の第２実施形態の蒸し風呂装置７０は、寝台式のものである。
図７に示すように、箱形の風呂本体７２に上方に向けて開く扉７３，７４が設けられる。扉７３，７４の側面には、ヒンジ７５が取り付けられており、図７矢印に示すように、風呂本体７２の中央から外側に向けて扉７３，７４が開閉するようになっている。
【００４３】
風呂本体７２と扉７３，７４の図７で前方側には、円形の首出し穴Ｈが設けられる。首出し穴Ｈの延長上には枕板７６が設けられている。枕板７６には首出し穴Ｈの穴面に連なる湾曲状の凹部７６ａが設けられている。入浴者は、浴室Ｓ内で仰向けに寝た状態で、首出し穴Ｈから頭部を出して凹部７６ａに添える。
【００４４】
図８に示すように、風呂本体７２の内部には、すのこ状の床板７８が設けられている。床板７８の下方の空間に蒸気発生器３０が設置されている。なお、蒸気発生器３０は、前述の第１実施形態と同一の構成であるので、同一の作用効果を有する構成部分には同一の符号を付している。
【００４５】
蒸し風呂装置７０によれば、図８破線矢印に示すように、加熱タンク３１から放出された蒸気が補給タンク３２の下面付近から補給タンク３２の側方の空間を上昇し、床板７８のすのこ状の隙間を通って浴室Ｓに充満する。補給タンク３２内の水は、前記第１実施形態と同様に、加熱タンク３１の放出口Ｗから放出される蒸気によって予備加熱されることになる。
【００４６】
このように蒸し風呂装置７０によれば、浴室Ｓの床下空間に蒸気発生器３０を設置することで、小型でコンパクトな装置構成を実現することができる。また、蒸気発生装置３０により効率よく蒸気を発生させることができるため、浴室Ｓに必要な蒸気を容易に確保することができる。この種の寝台式の蒸し風呂装置７０は、例えば、健康施設や医療施設などの付属装置として適用するとよい。
【００４７】
前記第１実施形態および第２実施形態を説明したが、本発明の実施形態はこれらに限られることはない。前記第１実施形態および第２実施形態では、すのこ板で浴室を仕切っているが、すのこ板に代えて網目状の板で浴室を仕切ってもよい。
また、座席下や床下に限らず、天井部などのその他のスペースに蒸気発生器を設置することもできる。
また、前記第１実施形態および第２実施形態において、風呂本体の首出し穴を省略して、浴室内に入浴者の全身を入れるようにすることも可能である。
さらに、補給タンクの下壁面に波状の凹凸等を設けて、加熱タンクからの蒸気の接触面積を広くするようにしてもよい。
さらに、前記第１実施形態および第２実施形態では、加熱タンクの上方に補給タンクを設けているが、他の実施形態として、加熱タンクの側方または下方に補給タンクを設け、加熱タンクからの蒸気の放出口を補給タンクの側壁に向けて形成するようにしてもよい。
【図面の簡単な説明】
【００４８】
【図１】本発明の第１実施形態による蒸し風呂装置を示す斜視図である。
【図２】図１に示す蒸し風呂装置の開放状態を示す斜視図である。
【図３】本発明の第１実施形態による蒸し風呂装置を示す断面図である。
【図４】本発明の第１実施形態による蒸気発生器を示す拡大断面図である。
【図５】本発明の第１実施形態による加熱タンクを示す平面図である。
【図６】本発明の第１実施形態による加熱タンクを示す断面図である。
【図７】本発明の第２実施形態による蒸し風呂装置を示す斜視図である。
【図８】本発明の第２実施形態による蒸し風呂装置を示す断面図である。
【符号の説明】
【００４９】
１０    蒸し風呂装置
１２    風呂本体
１３    正面扉
１４、１５    天井扉
１７    座席
２１    ボード
２２    化粧板
２４    床板
２５    脚板
２６    座板
２７    背板
３１    加熱タンク
３２    補給タンク
３６    発熱ヒータ
３７    蓋
３８    給水弁（第１給水弁）
３９    フロート
４１    電磁弁（第２給水弁）
４２    水位センサ
４８    送風ファン
５２    脚材
５４    フレーム
６１    電極
６２    電熱線
６３、６４    セラミック板
Ｓ    浴室
Ｈ    首出し穴
【図１】
2005073871.tif 000003
【図２】
2005073871.tif 000004
【図３】
2005073871.tif 000005
【図４】
2005073871.tif 000006
【図５】
2005073871.tif 000007
【図６】
2005073871.tif 000008
【図７】
2005073871.tif 000009
【図８】
2005073871.tif 000010